(57)【要約】【課題】  複数のヘッドユニットをつないでラインヘッドを構成する場合でも、つなぎ目に起因する濃度ムラ、スジなどを目立たなくし、高品位の印字を行う。【解決手段】  少なくとも一つの色系につき濃度の異なるN種類（Nは２以上の整数）のインクをそれぞれ専用のノズルから吐出するN系統の複数のノズルを有する記録ヘッドを複数のヘッドユニットを複数つなげて構成し、記録ヘッドを用いて入力画像データに対応する画像記録を行う際の画像処理を行う画像処理装置において、いずれかの種類のインクに対応する前記ヘッドユニットのつなぎ目の部分に位置する前記ノズルの印字については、当該ノズルによる印字に代えて同系統のより濃度の低いインクのノズルを用いて印字を行わせるとともに、当該つなぎ目部分の印字濃度を前記つなぎ目部分以外の他のノズルの印字濃度に略一致させるべく、印字データを生成する。【選択図】      図５
2006231735.tif 000002
【特許請求の範囲】
【請求項１】
少なくとも一つの色系につき濃度の異なるN種類（Nは２以上の整数）のインクをそれぞ
れ専用のノズルから吐出するN系統の複数のノズルを有する記録ヘッドを複数のヘッドユ
ニットを複数つなげて構成し、前記記録ヘッドを用いて入力画像データに対応する画像記
録を行う際の画像処理を行う画像処理装置において、
いずれかの種類のインクに対応する前記ヘッドユニットのつなぎ目の部分に位置する前
記ノズルの印字については、当該ノズルによる印字に代えて同系統のより濃度の低いイン
クのノズルを用いて印字を行わせるとともに、当該つなぎ目部分の印字濃度を前記つなぎ
目部分以外の他のノズルの印字濃度に略一致させるべく、印字データを生成する印字デー
タ生成部を備えたことを特徴とする画像処理装置。
【請求項２】
請求項１記載の画像処理装置において、
前記印字データ生成部は、前記入力画像データの色変換処理を行う色変換処理部と、
前記色変換処理後の前記入力画像データを多値化する多値化部と、を備え、
前記多値化部は、前記つなぎ目部分のノズルに対応する画像データの多値化用しきい値
と、前記つなぎ目部分以外の部分のノズルに対応する画像データの多値化用しきい値と、
を用いることを特徴とする画像処理装置。
【請求項３】
請求項２記載の画像処理装置において、
前記つなぎ目部分のノズルに対応する画像データの多値化用しきい値は、前記つなぎ目
部分以外の部分のノズルに用いるべき所定の濃度のインクよりも濃度の低いインクに対応
するものとして定められていることを特徴とする画像処理装置。
【請求項４】
請求項１ないし請求項３のいずれかに記載の画像処理装置において、
つなぎ目部分の印字濃度を前記つなぎ目部分以外の他のノズルの印字濃度に略一致させ
るに際し、面積階調を略一致させることを特徴とする画像処理装置。
【請求項５】
少なくとも一つの色系につき濃度の異なるN種類（Nは２以上の整数）のインクをそれぞ
れ専用のノズルから吐出するN系統の複数のノズルを有する記録ヘッドを複数のヘッドユ
ニットを複数つなげて構成し、前記記録ヘッドを用いて入力画像データに対応する画像記
録を行う際の画像処理方法において、
前記ヘッドユニットのつなぎ目部分の印字濃度を前記つなぎ目部分以外の他のノズルの
印字濃度に略一致させるべく、印字データを生成する印字データ生成過程と、
前記いずれかの種類のインクに対応する前記ヘッドのつなぎ目の部分に位置する前記ノ
ズルの印字について、当該ノズルによる印字に代えて同系統のより濃度の低いインクのノ
ズルを用いて印字を行わせる印字過程と、
を備えたことを特徴とする画像処理方法。
【請求項６】
少なくとも一つの色系につき濃度の異なるN種類（Nは２以上の整数）のインクをそれぞ
れ専用のノズルから吐出するN系統の複数のノズルを有する記録ヘッドを複数のヘッドユ
ニットを複数つなげて構成し、前記記録ヘッドを用いて入力画像データに対応する画像記
録を行う際の画像処理を行う画像処理装置をコンピュータにより制御するための制御プロ
グラムにおいて、
いずれかの種類のインクに対応する前記ヘッドユニットのつなぎ目の部分に位置する前
記ノズルの印字については、当該ノズルによる印字に代えて同系統のより濃度の低いイン
クのノズルを用いて印字を行わせるとともに、当該つなぎ目部分の印字濃度を前記つなぎ
目部分以外の他のノズルの印字濃度に略一致させるべく、印字データを生成させる、
ことを特徴とする制御プログラム。
【請求項７】
少なくとも一つの色系につき濃度の異なるN種類（Nは２以上の整数）のインクをそれぞ
れ専用のノズルから吐出するN系統の複数のノズルを有すべく、複数のヘッドユニットを
複数つなげて構成した記録ヘッドと、
いずれかの種類のインクに対応する前記ヘッドユニットのつなぎ目の部分に位置する前
記ノズルの印字については、当該ノズルによる印字に代えて同系統のより濃度の低いイン
クのノズルを用いて印字を行わせるとともに、当該つなぎ目部分の印字濃度を前記つなぎ
目部分以外の他のノズルの印字濃度に略一致させるべく、印字データを生成する印字デー
タ生成部と、
前記印字データに基づいて画像記録を行う印字部と、
を備えたことを特徴とする記録装置。
【発明の詳細な説明】
【技術分野】
【０００１】
本発明は、画像処理装置、画像処理方法、制御プログラムおよび記録装置に係り、特に
記録ヘッドを複数のヘッドユニットをつないで形成して画像記録を行うに際し、ヘッドユ
ニットのつなぎ目部分の印字特性に起因する画像の色むらの発生を抑制するための技術に
関する。
【背景技術】
【０００２】
従来より画像を記録する記録装置として、インクジェットプリンタが知られている。
このインクジェットプリンタにおいて、インクを吐出する印字ヘッドには、高速な印刷
を実現するために、複数のノズルが設けられている。そして、印字ヘッドを主走査方向に
走査しながら、各ノズルから並行してインクを吐出することによって、数ライン分の印字
を行い、印字完了後、記録用紙を副走査方向に搬送することにより印字を実施する。
また、ラインヘッドと呼ばれる印字ヘッドを有するインクジェットプリンタでは、記録
用紙を搬送することなく印字できる印字ヘッドの印字可能幅が、記録可能な最大記録用紙
の一片のサイズと同じである。
【０００３】
したがって、ラインヘッド型のインクジェットプリンタは、印字ヘッドを主走査方向に
走査するインクジェットの１走査（主走査方向）分の印字を、走査することなく処理を終
えることができるので、非常に高速な印字が可能である。
上記従来のラインヘッド型のインクジェットプリンタにおいて、ラインヘッドが持つ複
数の各ノズルの特性を均一にあわせることは、非常に困難であり、一般的に同一ヘッド内
においてばらつき特性を持ち、印字位置によって、濃度が異なる濃度ムラが発生するとい
う不具合が生じ得る。
【０００４】
ここで、濃度ムラについて詳細に説明する。
濃度ムラ特性の一つとしては、例えば、ラインヘッドを複数のヘッドユニットをつない
で構成した場合、ヘッドユニット中央部とヘッドユニット端との特性が異なるシェーディ
ング特性が挙げられる。シェーディング特性はヘッドユニットの作り方により異なるが、
例えば、ヘッドユニット中央よりもヘッドユニット端の方がドットサイズが大きくなり、
ヘッドユニット端部分の方が濃い画像が印字されるマクロ的な現象などが存在する。
この場合に、濃度ムラ補正処理を行うことで、印字濃度の最大ぶれの絶対値は小さくな
るものの、印字面で濃度変化が波打ったように発生する場合もある。
【０００５】
また、ある領域をヘッドが一度だけ走査して印刷するラインヘッド型プリンタは、マル
チパス方式のプリンタと比較して高速化が図れるものの、濃度ムラ特性が直接印刷する画
像に反映され、結果として得られる画像に悪影響を及ぼす傾向がある。
また、ラインヘッド型と呼ばれるプリンタではその原理上、複数回走査することが困難
であることが多い。そこで、ラインヘッド型のプリンタでは１走査にて適切な画像を出力
する必要がある。
そこで、濃度ムラに対しては、濃度ムラが画像に存在することを前提にして、結果とし
て濃度ムラが発生しないように補正して画像データ出力を行う。
このため、従来より、さまざまな技術が提案されている。
【０００６】
例えば、特許文献１記載の技術では、複数のノズルを有するヘッドチップ（ヘッドユニ
ット）が千鳥状に配列され、かつ、隣接するヘッドチップ間でオーバラップ部が形成され
るラインヘッドが開示されている。
このオーバラップ部においては、いずれのヘッドチップのノズルを用いて印字を行うか
を乱数を用いて選択しており、ヘッドチップ端部にあるノズルの特性のばらつきやインク
着弾位置のずれによるヘッドチップ間のつなぎ目に部分に相当する印字位置に発生するス
ジと濃度ムラを防止する効果がある旨が記載されている。
【特許文献１】特開２００４−５０４４５号
【発明の開示】
【発明が解決しようとする課題】
【０００７】
しかしながら、従来の技術では、隣接するヘッドチップをある程度の長さで重ねてオー
バラップ部を形成する必要があり、無駄なノズルが多く発生するとともに、一つのライン
ヘッドを形成するためにヘッドチップ数が増加するという問題点があった。
そこで、本発明の目的は、複数のヘッドユニットをつないでラインヘッドを構成する場
合でも、つなぎ目に起因する濃度ムラ、スジなどを目立たなくし、高品位の印字を行うこ
とが可能な画像処理装置、画像処理方法、制御プログラムおよび記録装置を提供すること
にある。
【課題を解決するための手段】
【０００８】
上記課題を解決するため、画像処理装置は、少なくとも一つの色系につき濃度の異なる
N種類（Nは２以上の整数）のインクをそれぞれ専用のノズルから吐出するN系統の複数の
ノズルを有する記録ヘッドを複数のヘッドユニットを複数つなげて構成し、前記記録ヘッ
ドを用いて入力画像データに対応する画像記録を行う際の画像処理を行う画像処理装置に
おいて、いずれかの種類のインクに対応する前記ヘッドユニットのつなぎ目の部分に位置
する前記ノズルの印字については、当該ノズルによる印字に代えて同系統のより濃度の低
いインクのノズルを用いて印字を行わせるとともに、当該つなぎ目部分の印字濃度を前記
つなぎ目部分以外の他のノズルの印字濃度に略一致させるべく、印字データを生成する印
字データ生成部を備えたことを特徴としている。
【０００９】
上記構成によれば、印字データ生成部は、いずれかの種類のインクに対応する前記ヘッ
ドユニットのつなぎ目の部分に位置する前記ノズルの印字については、当該ノズルによる
印字に代えて同系統のより濃度の低いインクのノズルを用いて印字を行わせるとともに、
当該つなぎ目部分の印字濃度を前記つなぎ目部分以外の他のノズルの印字濃度に略一致さ
せるべく、印字データを生成する。
従って、ヘッドユニットのつなぎ目部分においても、スジなどが発生することなく、印
字品位を向上できる。
【００１０】
この場合において、前記印字データ生成部は、前記入力画像データの色変換処理を行う
色変換処理部と、前記色変換処理後の前記入力画像データを多値化する多値化部と、を備
え、前記多値化部は、前記つなぎ目部分のノズルに対応する画像データの多値化用しきい
値と、前記つなぎ目部分以外の部分のノズルに対応する画像データの多値化用しきい値と
、を用いるようにしてもよい。
また、前記つなぎ目部分のノズルに対応する画像データの多値化用しきい値は、前記つ
なぎ目部分以外の部分のノズルに用いるべき所定の濃度のインクよりも濃度の低いインク
に対応するものとして定められているようにしてもよい。
さらに、つなぎ目部分の印字濃度を前記つなぎ目部分以外の他のノズルの印字濃度に略
一致させるに際し、面積階調を略一致させるようにしてもよい。
【００１１】
また、少なくとも一つの色系につき濃度の異なるN種類（Nは２以上の整数）のインクを
それぞれ専用のノズルから吐出するN系統の複数のノズルを有する記録ヘッドを複数のヘ
ッドユニットを複数つなげて構成し、前記記録ヘッドを用いて入力画像データに対応する
画像記録を行う際の画像処理方法は、前記ヘッドユニットのつなぎ目部分の印字濃度を前
記つなぎ目部分以外の他のノズルの印字濃度に略一致させるべく、印字データを生成する
印字データ生成過程と、前記いずれかの種類のインクに対応する前記ヘッドのつなぎ目の
部分に位置する前記ノズルの印字について、当該ノズルによる印字に代えて同系統のより
濃度の低いインクのノズルを用いて印字を行わせる印字過程と、備えたことを特徴として
いる。
【００１２】
また、少なくとも一つの色系につき濃度の異なるN種類（Nは２以上の整数）のインクを
それぞれ専用のノズルから吐出するN系統の複数のノズルを有する記録ヘッドを複数のヘ
ッドユニットを複数つなげて構成し、前記記録ヘッドを用いて入力画像データに対応する
画像記録を行う際の画像処理を行う画像処理装置をコンピュータにより制御するための制
御プログラムは、いずれかの種類のインクに対応する前記ヘッドユニットのつなぎ目の部
分に位置する前記ノズルの印字については、当該ノズルによる印字に代えて同系統のより
濃度の低いインクのノズルを用いて印字を行わせるとともに、当該つなぎ目部分の印字濃
度を前記つなぎ目部分以外の他のノズルの印字濃度に略一致させるべく、印字データを生
成させる、ことを特徴としている。
【００１３】
また、記録装置は、少なくとも一つの色系につき濃度の異なるN種類（Nは２以上の整数
）のインクをそれぞれ専用のノズルから吐出するN系統の複数のノズルを有すべく、複数
のヘッドユニットを複数つなげて構成した記録ヘッドと、いずれかの種類のインクに対応
する前記ヘッドユニットのつなぎ目の部分に位置する前記ノズルの印字については、当該
ノズルによる印字に代えて同系統のより濃度の低いインクのノズルを用いて印字を行わせ
るとともに、当該つなぎ目部分の印字濃度を前記つなぎ目部分以外の他のノズルの印字濃
度に略一致させるべく、印字データを生成する印字データ生成部と、前記印字データに基
づいて画像記録を行う印字部と、を備えたことを特徴としている。
上記構成によれば、印字データ生成部は、いずれかの種類のインクに対応するヘッドユ
ニットのつなぎ目の部分に位置するノズルの印字については、当該ノズルによる印字に代
えて同系統のより濃度の低いインクのノズルを用いて印字を行わせるとともに、当該つな
ぎ目部分の印字濃度を前記つなぎ目部分以外の他のノズルの印字濃度に略一致させるべく
、印字データを生成する。
印字部は、印字データに基づいて画像記録を行う。
【発明を実施するための最良の形態】
【００１４】
次に図面を参照して本発明の好適な実施の形態について説明する。
図１は、記録装置（画像形成装置）の一態様たるカラーインクジェットプリンタ（以下
、単に「プリンタ」という）２を備えたコンピュータシステム１の概略構成図である。こ
の図に示すように、プリンタ２は、記録用紙３を搬送する用紙搬送機構２０と、記録用紙
３に向けてインクを吐出してドットを形成するヘッドユニット２１と、このヘッドユニッ
ト２１によるインクの吐出およびドット形成を制御するヘッド駆動回路２２（図２参照）
と、操作パネル２３と、これらの用紙搬送機構２０、ヘッドユニット２１および操作パネ
ル２３との信号のやり取りを司る制御回路２４とを備えている。
用紙搬送機構２０は、制御回路２４により駆動制御される紙送りモータ２５と、この紙
送りモータ２５の回転によって回転駆動される紙送りローラ２６とを備え、この紙送りロ
ーラ２６の回転によって記録用紙３が搬送される。
【００１５】
ヘッドユニット２１は、インクタンク２７と、ラインヘッド２８とを備えている。
インクタンク２７には、ブラック（Ｋ）のインクを収納したカートリッジ２９Ａと、カ
ラーインクを収容したカートリッジ２９Ｂとが着脱自在に設けられている。ここで、本実
施の形態のプリンタ２は、後述する通り、濃淡のカラーインクを用いて小中大の径からな
るドットを形成可能な多値プリンタであり、カラーインクとして、染料濃度の高い濃イン
クであるシアン（Ｃ）、マゼンタ（Ｍ）およびイエロ（Ｙ）の他に、染料濃度の低い淡イ
ンクであるライトシアン（Ｃ１）およびライトマゼンタ（Ｍ１）の合計５色のカラーイン
クを用いることとしている。
インクタンク２７からはインク供給路３０が引き出されて対応するインクのラインヘッ
ド２８に接続されており、このインク供給路３０を介してインクタンク２７からラインヘ
ッド２８へインクが供給される。
【００１６】
ラインヘッド２８は、図２に示すように、保持用フレーム３１と、この保持用フレーム
３１に並べて固定された複数のノズルユニット３２とを備えている。各ノズルユニット３
２にはインクが吐出される複数のノズル（吐出口）３３が形成されている。
ここで、ラインヘッド２８は、ブラック（Ｋ）、シアン（Ｃ）、マゼンタ（Ｍ）、イエ
ロ（Ｙ）、ライトブラック（Ｋ１）、ライトシアン（Ｃ１）、ライトマゼンタ（Ｍ１）お
よびライトイエロ（Ｙ１）のそれぞれごとに設けられている。
各ノズル３３には、電歪素子の１つであって応答性に優れたピエゾ素子（図示せず）が
配置され、これらのピエゾ素子は、ノズル３３にインクを導くインク通路を形成する部材
に接して配置されている。ピエゾ素子は、電圧の印加により結晶構造が歪み、極めて高速
に電気−機械エネルギの変換を行うものであり、ピエゾ素子の両端に設けられた電極間に
所定時間幅の電圧を印加することにより、ピエゾ素子が電圧の印加時間だけ伸張し、イン
ク通路の一側壁を変形させる。この結果、インク通路の体積はピエゾ素子の伸張に応じて
収縮し、この収縮分に相当するインクが、インク滴となって、ノズル３３の先端から高速
に吐出される。そして、このインク滴が紙送り紙送りローラ２６に沿わされた記録用紙３
に染み込むことにより、ドットが形成されて画像の印刷が行われる。
【００１７】
また、このようなノズルユニット３２が保持用フレーム３１に記録用紙３の幅方向（い
わゆる主走査方向）に沿って複数並べられることにより、記録用紙３の全幅にわたってノ
ズル３３が配列され、記録用紙３の全幅にわたって一斉に画像形成が行われる。そして、
ヘッドユニット２１により記録用紙３の幅方向に画像を形成しつつ、記録用紙３を搬送方
向（いわゆる副走査方向）に搬送することで、記録用紙３の搬送方向への画像形成が行わ
れる。
【００１８】
ここで、各ラインヘッド２８を構成するノズル３３の各々は、略一定の径を有して形成
されているが、本プリンタ２は、かかるノズル３３を用いて径の異なる小（Ｓ）、中（Ｍ
）、大（Ｌ）の３種類のドットを形成可能としている。詳細には、ピエゾ素子に印加する
電圧波形（特に、負電圧印加時の電圧波形）を制御することでドット径を制御可能である
ことが一般に知られており、本プリンタ２にあっては、電圧波形とドット径との関係に基
づいて、小（Ｓ）ドット、中（Ｍ）ドット、大（Ｌ）ドットを形成するためのそれぞれの
電圧波形を予め用意し、これらの電圧波形を適宜選択することで、径の異なる３種類のド
ットを形成可能としている。そして、これらの３種類のドットを適宜の密度で形成するこ
とにより、画像の階調（濃度）を表現している。具体的には、高階調（高濃度）の表現す
る場合には大（Ｌ）ドットを密に形成することとし、階調（濃度）が低くなるにしたがっ
て、ドット径を小さくし、或いは、ドットの密度を低くする。
【００１９】
さて、図１に示すように、プリンタ２の制御回路２４は、コネクタ４０を介してコンピ
ュータ４に接続されている。このコンピュータ４は、プリンタ２用のドライバーソフトを
搭載し、入力装置であるキーボードや、マウス等の操作によるユーザの指令を受け付け、
また、プリンタ２における種々の情報を表示装置の画面表示によりに提示するユーザイン
ターフェイスを構成している。
【００２０】
図３は、制御回路２４を中心としたプリンタ２の主要部分の構成例を示すブロック図で
ある。この図に示すように、制御回路２４は、ＣＰＵ（Central Processing Unit）４１
、プログラマブルＲＯＭ（P-ROM:Programable Read Only Memory）４３、ＲＡＭ（Random
Access Memory）４４、文字のドットマトリクスを記憶したキャラクタジェネレータ（CG
:Character Generator）４５、およびＥＥＰＲＯＭ（Electrically Erasable and Progra
mmable ROM）４６を備えた算術論理演算回路として構成されている。
この制御回路２４は、さらに、外部のモータ等とのインタフェース（Ｉ／Ｆ（Ｉｎｔｅ
ｒｆａｃｅ））であるＩ／Ｆ専用回路５０と、このＩ／Ｆ専用回路５０に接続されヘッド
ユニット２１を駆動してインクを吐出させるヘッド駆動回路２２と、紙送りモータ２５を
駆動するモータ駆動回路５４とを備えている。
Ｉ／Ｆ専用回路５０は、パラレルインタフェース回路を内蔵しており、コネクタ４０を
介してコンピュータ４から供給される印刷信号ＰＳを受け取ることができる。
【００２１】
つぎに、コンピュータ４の構成について、図４を参照して説明する。
図４に示すように、コンピュータ４は、ＣＰＵ９１、ＲＯＭ９２、ＲＡＭ９３、ＨＤＤ
（Hard Disk Drive）９４、ビデオ回路９５、Ｉ／Ｆ９６、バス９７、表示装置９８、入
力装置９９および外部記憶装置１００を備えている。
ＣＰＵ９１は、ＲＯＭ９２やＨＤＤ９４に格納されているプログラムに従って各種演算
処理を実行するとともに、装置の各部を制御する制御部である。
ＲＯＭ９２は、ＣＰＵ９１が実行する基本的なプログラムやデータを格納しているメモ
リである。ＲＡＭ９３は、ＣＰＵ９１が実行途中のプログラムや、演算途中のデータ等を
一時的に格納するメモリである。
ＨＤＤ９４は、ＣＰＵ９１からの要求に応じて、記録媒体であるハードディスクに記録
されているデータやプログラムを読み出すとともに、ＣＰＵ９１の演算処理の結果として
発生したデータを前述したハードディスクに記録するものである。
ビデオ回路９５は、ＣＰＵ９１から供給された描画命令に応じて描画処理を実行し、得
られた画像データを映像信号に変換して表示装置９８に出力する回路である。
【００２２】
Ｉ／Ｆ９６は、入力装置９９および外部記憶装置１００から出力された信号の表現形式
を適宜変換するとともに、プリンタ２に対して印刷信号ＰＳを出力する回路である。
バス９７は、ＣＰＵ９１、ＲＯＭ９２、ＲＡＭ９３、ＨＤＤ９４、ビデオ回路９５およ
びＩ／Ｆ９６を相互に接続し、これらの間でデータの授受を可能とする信号線である。
表示装置９８は、例えば、ＬＣＤ（Liquid Crystal Display）モニタやＣＲＴ（Cathod
e Ray Tube）モニタによって構成され、ビデオ回路９５から出力された映像信号に応じた
画像を表示する装置である。
入力装置９９は、例えば、キーボードやマウスによって構成されており、ユーザの操作
に応じた信号を生成して、Ｉ／Ｆ９６に供給する装置である。
外部記憶装置１００は、例えば、ＣＤ−ＲＯＭ（Compact Disk-ROM）ドライブユニット
、ＭＯ（MagnetoOptic）ドライブユニット、ＦＤＤ（Flexible DiskDrive）ユニットによ
って構成され、ＣＤ−ＲＯＭディスク、ＭＯディスク、ＦＤに記録されているデータやプ
ログラムを読み出してＣＰＵ９１に供給する装置である。また、ＭＯドライブユニットお
よびＦＤＤユニットの場合には、ＣＰＵ９１から供給されたデータを、ＭＯディスクまた
はＦＤに記録する装置である。
【００２３】
上記のように、コンピュータ４には、プリンタ２用のプリンタドライバソフトが予めイ
ンストールされ、コンピュータ４にプリンタドライバが搭載される。プリンタドライバソ
フトには、印刷に供される画像処理プログラムが組み込まれており、コンピュータ４が画
像処理プログラムを実行することで、プリンタ２用の画像処理装置として機能する。
【００２４】
図５は、コンピュータ４にインストールされているプリンタ２用のプリンタドライバソ
フトによって実現される画像処理装置２００の機能ブロックを示す図である。この図に示
すように、画像処理装置２００は、色変換部２１０と、つなぎ目判別部２１１と、インク
しきい値記憶部２１２と、多値化部２１３と、を備えている。
色変換部２１０は、印刷対象となる入力画像データとして、ＲＧＢ（Ｒｅｄ、Ｇｒｅｅ
ｎ、Ｂｌｕｅ）表色系によって表現された画像データを受け取り、ＣＭＹＫ（シアン、マ
ゼンタ、イエロ、ブラック）表色系の各色について画素ごとの階調度を規定する階調デー
タに変換し、つなぎ目判別部２１１および多値化部２１３に出力するものである。
【００２５】
つなぎ目判別部２１１は、入力された階調データが、ラインヘッド２８のノズル３３の
うち、各ヘッドユニットのつなぎ目部分に位置するノズル３３に対応するものであるか否
かを判別して多値化部２１３に出力する。
したがって、多値化部２１３は、インクしきい値記憶部２１２からインクしきい値を読
み出し、読み出したインクしきい値に応じて入力された階調データをプリンタ２が処理可
能な信号（ここで、Ｃ、Ｍ、Ｙ、Ｋ、Ｃ１、Ｍ１、Ｙ１、Ｋ１）の各色についての多値化
された信号）に変換する。そして、この変換された信号が印刷信号ＰＳとしてＩ／Ｆ９６
（出力手段）からプリンタ２に出力することとなる。
ここで、インクしきい値の設定および記憶について説明する。
ラインヘッドのノズルのインク吐出特性、特にヘッドユニットのつなぎ目部分のノズル
のインク吐出特性は、プリンタ２の機体毎に異なっている。
【００２６】
図６は、インクしきい値設定処理の処理フローチャートである。
インクしきい値設定を行う場合には、まず、プリンタ２によって所定のテストパターン
を印刷する（ステップＳ１１）。
次にスキャナ等によりテストパターンを読みとり（ステップＳ１２）、しきい値を生成
する（ステップＳ１３）。
【００２７】
図７はしきい値生成の処理フローチャートである。
まず、スキャナによるテストパターンの読み取り結果から、濃度を読み取る（ステップ
Ｓ２１）。
【００２８】
図８は、濃度と輝度の関係説明図である
続いて、読み取った濃度を図８に示す関係に基づいて輝度に変換する（ステップＳ２２
）。
そして画像処理装置は、輝度に基づいてしきい値を算出する（ステップＳ２３）。
【００２９】
図９は、インクの濃度としきい値との関係説明図である。
本実施形態では、形成されるドットサイズとして、Ｓ、Ｍ、Ｌ（Ｓ＜Ｍ＜Ｌ）の３種類
がある。また、濃度は０〜２５５段階の２５６段階の濃度があるものとする。
濃インクを用いる場合のドットサイズＳは、濃度として８０の値に相当する。濃インク
を用いる場合のドットサイズＭは、濃度として１６５に相当する。濃インクを用いる場合
のドットサイズＬは、濃度として２５５に相当する。
【００３０】
従って、濃インクを用いる場合にドットサイズを選定する場合の濃度のしきい値として
は、例えば、濃度＝４０、１２３、２１０の３値を設定する。そして以下のように取り扱
う。
濃度＝４０未満                    ：ドットを形成しない。
濃度＝４０以上、濃度＝１２３未満  ：Ｓサイズのドットを形成
濃度＝１２３以上、濃度＝２１０未満：Ｍサイズのドットを形成
濃度＝２１０以上                  ：Ｌサイズのドットを形成
一方、濃度に代えて、輝度を取り扱う場合、濃インクを用いる場合のドットサイズＳは
、輝度として１５０の値に相当する。濃インクを用いる場合のドットサイズＭは、輝度と
して７０に相当する。濃インクを用いる場合のドットサイズＬは、輝度として０に相当す
る。
【００３１】
従って、濃インクを用いる場合にドットサイズを選定する場合の輝度のしきい値として
は、例えば、輝度＝３５、１１０、２００の３値を設定する。そして以下のように取り扱
う。
輝度＝３５未満                    ：Ｌサイズのドットを形成
輝度＝３５以上、濃度＝１１０未満  ：Ｍサイズのドットを形成
輝度＝１１０以上、濃度＝２００未満：Ｓサイズのドットを形成
輝度＝２００以上                  ：ドットを形成しない。
また、淡インクを用いる場合のドットサイズＳは、濃度として４５の値に相当する。淡
インクを用いる場合のドットサイズＭは、濃度として１２５に相当する。淡インクを用い
る場合のドットサイズＬは、濃度として２４０に相当する。
従って、淡インクを用いる場合にドットサイズを選定する場合の濃度のしきい値として
は、例えば、濃度＝２２、８５、１８２の３値を設定する。そして以下のように取り扱う
。
濃度＝２２未満                    ：ドットを形成しない。
濃度＝２２以上、濃度＝８５未満    ：Ｓサイズのドットを形成
濃度＝８５以上、濃度＝１８２未満  ：Ｍサイズのドットを形成
濃度＝１８２以上                  ：Ｌサイズのドットを形成
【００３２】
一方、濃度に代えて、輝度を取り扱う場合、淡インクを用いる場合のドットサイズＳは
、輝度として１１０の値に相当する。淡インクを用いる場合のドットサイズＭは、輝度と
して４０に相当する。淡インクを用いる場合のドットサイズＬは、輝度として１０に相当
する。
これは、輝度に置き換えれば、淡インクを用いる場合にドットサイズを選定する場合の
輝度のしきい値としては、例えば、輝度＝２５、７５、１８３の３値を設定する。そして
以下のように取り扱う。
輝度＝２５未満                    ：Ｌサイズのドットを形成
輝度＝２５以上、濃度＝７５未満    ：Ｍサイズのドットを形成
輝度＝７５以上、濃度＝１８３未満  ：Ｓサイズのドットを形成
輝度＝１８３以上                  ：ドットを形成しない。
【００３３】
図１０は、印字に用いるインクと印字濃度の対応関係説明図である。図１０（Ａ１）は
、濃インクを用いたＳサイズドット形成時の説明図、図１０（Ａ２）は、濃インクを用い
たＭサイズドット形成時の説明図、図１０（Ａ３）は、濃インクを用いたＬサイズドット
形成時の説明図、図１０（Ｂ１）は、淡インクを用いたＳサイズドット形成時の説明図、
図１０（Ｂ２）は、淡インクを用いたＭサイズドット形成時の説明図、図１０（Ｂ３）は
、淡インクを用いたＬサイズドット形成時の説明図である。
図１０に示すように、各ドットサイズのドットを濃インクのノズルで印字したヘッドユ
ニットのつなぎ目部分で印字を行うと、ドットが近接しているため、斜線部ＤＳＸ、ＤＭ
Ｘ、ＤＬＸで示すようになり、印字濃度がつなぎ目部分以外の他の部分より上がってしま
う。
【００３４】
したがって、これらの部分の印字濃度を、つなぎ目部分以外の部分ＤＳ、ＤＭ、ＤＬの
印字濃度と等しくなるように設定する必要がある。
このとき、淡インクの記録ヘッドのつなぎ目部分のノズルで各ドットサイズのドットを
印字した場合には、つなぎ目部分ＬＳ、ＬＭ、ＬＬにおいて各ドットが近接して印字され
るため、面積階調が高くなり、濃度の低い淡インクを用いても、濃インクを用いた破線部
分の濃度と略同一の濃度を得ることができる。
すなわち、濃インクで印字を行った場合の、つなぎ目部分以外の部分ＤＳ、ＤＭ、ＤＬ
の印字濃度をＣＤＳ、ＣＤＭ、ＣＤＬとし、淡インクで印字を行った場合のつなぎ目部分
ＬＳ、ＬＭ、ＬＬの印字濃度をＣＬＳ、ＣＬＭ、ＣＬＬとすると、
ＣＤＳ≒ＣＬＳ
ＣＤＭ≒ＣＬＭ
ＣＤＬ≒ＣＬＬ
となる。
【００３５】
プリンタ２の工場出荷時などには、上記のようにしてインク吐出特性が求められ、そし
て、プリンタ２のＥＥＰＲＯＭ４６として構成されるインクしきい値記憶部２１２に各イ
ンク毎に予め格納された状態で出荷される。なお、インクしきい値をプリンタ２のＥＥＰ
ＲＯＭ４６に格納する構成ではなく、画像処理プログラムにデータとして組み込む構成と
し、そのデータを必要に応じて参照する構成としても良い。この構成においては、インク
しきい値は、画像処理プログラムとともに、コンピュータ４のＨＤＤ９４に格納される。
【００３６】
本実施の形態では、通常、濃インクを用いて印刷を実行し、ヘッドユニットのつなぎ目
部分に位置するインクノズルの場合には、その濃インクノズル３３がドットを形成する予
定の画素を、濃インクノズル３３に代えて淡インクノズル３３によりドットを形成するこ
ととしている。
【００３７】
図１１は、濃インクのみを用いて、ヘッドユニットのつなぎ目部分も含めて印刷した場
合のドット形成状態説明図である。図１２は、ヘッドユニットのつなぎ目部分を淡インク
で印刷し、他を濃インクで印刷した場合のドット形成状態説明図である。
図１１に示すように、濃インクのみで印刷を行った場合には、ヘッドユニットのつなぎ
目部分Ｘで、ドットが近接し、あるいは、ドット径が大きくなり、濃度が高くなる（輝度
が低くなる）。従って、スジが見えてしまう可能性がある。
これに対し、図１２に示すように  ヘッドユニットのつなぎ目部分に位置するインクノ
ズルの場合には、その濃インクノズル３３がドットを形成する予定の画素を、濃インクノ
ズル３３に代えて淡インクノズル３３によりドットを形成すると、ヘッドユニットのつな
ぎ目部分Ｘで、淡インクのドットが形成され、ヘッドユニットのつなぎ目部分Ｘ以外の部
分と濃度を略一致させることができ、スジが見えず、違和感のない画像を形成することが
可能となる。
このとき、上述の通り、淡インクだけでは最大階調（ここでは２５５）を表現できない
が、ヘッドユニットのつなぎ目部分Ｘでは、ドットが近接し、あるいは、ドット径が大き
くなるので、面積階調としては、ほぼ同様のものを得ることができる。
【００３８】
次に、本実施形態の動作について説明する。
図１３は実施形態の処理フローチャートである。
例えばユーザがコンピュータ４の入力装置９９を操作するなどして、アプリケーション
プログラムを起動する要求がなされた場合、ＣＰＵ９１は、ＨＤＤ９４から該当するアプ
リケーションプログラムを読み出して実行する。この結果、アプリケーションプログラム
が起動され、画像データの生成または編集が可能になる。このようなアプリケーションプ
ログラムを利用して、画像が描画または編集された後、生成された画像を印刷する要求が
入力装置９９を介して行われた場合には、ＣＰＵ９１は、生成された画像データをプリン
タドライバソフトに対して供給する（ステップＳ３１）。このとき、画像データは、ＲＧ
Ｂ表色系によって表されているデータである。また、プリンタドライバソフトへの画像デ
ータ供給に伴って、コンピュータ４が画像処理プログラムを実行し、上述した画像処理装
置２００として機能する。
【００３９】
これにより画像処理装置２００の色変換部２１０は、入力画像データをＣＭＹＫ表色系
の各色系ごとの階調データに変換し、つなぎ目判別部２１１および多値化部２１３に出力
する（ステップＳ３２）。
つなぎ目判別部２１１は、入力された階調データが、ラインヘッド２８のノズル３３の
うち、各ヘッドユニットのつなぎ目部分に位置するノズル３３に対応するものであるか否
かを判別して（ステップＳ）、判別結果を多値化部２１３に出力する（ステップＳ３３）
。
【００４０】
ステップＳ３３の判別において、色変換後の画像データがヘッドユニットのつなぎ目部
分に相当するものではない場合（ステップＳ３３；Ｎｏ）、すなわち、図１２におけるつ
なぎ目部分Ｘ以外の画像データに相当する場合には、多値化部２１３は、濃インクを用い
る場合のしきい値をインクしきい値記憶部２１２から参照し（ステップＳ３４）、Ｎ値化
（多値化：本実施形態では４値化）を行い（ステップＳ３６）、印刷データを生成し（ス
テップＳ３７）、印刷信号ＰＳとしてプリンタ２に出力する。
プリンタ２は印刷信号ＰＳを受信すると、ＣＰＵ４１が紙送りモータ２５を駆動して
記録用紙３を１枚だけ吸引し、印刷開始位置まで移送する。
【００４１】
そして、記録用紙３の印刷開始位置がラインヘッド２８の直下まで移動した場合に、Ｃ
ＰＵ４１は、印刷信号ＰＳをヘッド駆動回路２２を介してラインヘッド２８に供給し、印
刷を開始する。
そして、印刷開始以降は、印刷信号ＰＳに基づいて、シアン（Ｃ）のインク、マゼンタ
（Ｍ）のインク、イエロ（Ｙ）のインクあるいはブラック（Ｋ）のインクに対応するノズ
ルから各インクが吐出され、ンピュータ４によって生成された画像データに対応するドッ
ト群が記録用紙３上に形成される。
【００４２】
ステップＳ３３の判別において、色変換後の画像データがヘッドユニットのつなぎ目部
分に相当するものある場合（ステップＳ３３；Ｙｅｓ）、すなわち、図１２におけるつな
ぎ目部分Ｘの画像データに相当する場合には、淡インクを用いる場合のしきい値をインク
しきい値記憶部２１２参照し（ステップＳ３５）、Ｎ値化（多値化：本実施形態では４値
化）を行い（ステップＳ３６）、印刷データを生成し（ステップＳ３７）、印刷信号ＰＳ
としてプリンタ２に出力する。
そしてライトシアン（Ｃ１）のイン、ライトマゼンタ（Ｍ１）のインク、ライトイエロ
（Ｙ１）のインクあるいはライトブラック（Ｋ１）のインクを吐出するインクノズル３３
に供給されてドットが形成される。
これらの結果、印刷が開始されると、ラインヘッド２８がＣ、Ｍ、Ｙ、Ｋのインクを吐
出して画像を形成しつつ、ヘッドユニットのつなぎ目部分においては、Ｃ１、Ｍ１、Ｙ１
、Ｋ１のインクを吐出して、コンピュータ４によって生成された画像データに対応するド
ット群が記録用紙３上に形成される。
【００４３】
以上のような実施の形態によれば、ヘッドユニットを複数つなげてラインヘッドを構成
する場合でも、ヘッドユニットのつなぎ目部分においてスジなどが発生することがなくな
り、印刷品位を向上させることができる。
図１４は、ヘッドユニットのつなぎ方の他の例の説明図である。
以上の説明においては、ヘッドユニット３２をシリアルにつなぐ場合のものであったが
、図１４に示すように、ジグザグにつなぐようにすることも可能である。
図１５は、オーバラップ部の説明図である。
この場合には、図１５に示すように、隣接するヘッドユニット３２の一部でオーバラッ
プ部を設け、その一部ＮＵＮに含まれるノズルを使用しない構成とすれば、ヘッドユニッ
ト３２端の隙間が多いような場合でもラインヘッドを構成することができる。この場合に
おいて、ノズルの不連続部分（シリアル接続時のつなぎ目部分に相当）については、両ヘ
ッドユニットのノズルＮ１とノズルＮ２との間の記録用紙搬送方向とは直交する方向（図
では、左右方向）の距離Ｄ１を、同一のヘッドユニット内のノズル間距離Ｄ２よりも小さ
く設定してラインヘッドを形成するようにすれば同様に適用が可能である。
【００４４】
以上の説明では、コンピュータ４にインストールされるプリンタドライバソフトに画像
処理プログラムを組み込むことで、コンピュータ４を画像処理装置２００として機能させ
たが、これに限らず、プリンタ４の制御回路２４に画像処理プログラムを実行させ、この
制御回路２４を画像処理装置２００として機能させる構成としても良い。この構成におい
ては、画像処理プログラムが例えば制御回路２４のＰ−ＲＯＭ４３などに予め格納される
。
また、上述した画像処理プログラムは、コンピュータ４やプリンタ２の半導体ＲＯＭに
予め記憶させて製品に組み込まれるほかにも、インターネットなどのネットワークを介し
て配信することも可能である。また、図１６に示すようにＣＤ−ＲＯＭやＤＶＤ−ＲＯＭ
、ＦＤなどのコンピュータ読み取り可能な記録媒体３００を介することによって所望する
ユーザなどに対して容易に提供することも可能である。
【００４５】
さらに、以上の説明では、インクとして濃淡２種類のインクを用いる構成としたが、こ
れに限らず、Ｎ（Ｎ≧２の自然数）種類のインクを用いる構成としても良い。この構成に
おいては、ヘッドユニットのつなぎ目部分において、実際に使用しようとしたインクより
も濃度の低いインクに相当するノズルを用いてドットを形成するようにすればよい。
さらにまた、以上の説明では、記録ヘッドとして、ピエゾ素子を用いてインクを吐出す
る構成のものを例示したが、他の方法によりインクを吐出する記録ヘッドを用いても良い
。例えばインク通路に配置したヒータに通電し、インク通路内に発生する泡（バブル）に
よりインクを吐出する記録ヘッドを用いても良い。
【図面の簡単な説明】
【００４６】
【図１】本発明の第１実施形態の印刷用のコンピュータシステムを示す図である。
【図２】ヘッドユニットの構成を示す図である。
【図３】プリンタの制御回路の機能的構成を示す図である。
【図４】コンピュータの機能的構成を示す図である。
【図５】画像処理装置の機能的構成を示す図である。
【図６】インクしきい値設定処理の処理フローチャートである。
【図７】しきい値生成の処理フローチャートである。
【図８】濃度と輝度の関係説明図である
【図９】インクの濃度としきい値との関係説明図である。
【図１０】印字に用いるインクと印字濃度の対応関係説明図である。
【図１１】濃インクのみを用いて、ヘッドユニットのつなぎ目部分も含めて印刷した場合のドット形成状態説明図である。
【図１２】ヘッドユニットのつなぎ目部分を淡インクで印刷し、他を濃インクで印刷した場合のドット形成状態説明図である。
【図１３】実施形態の処理フローチャートである。
【図１４】ヘッドユニットのつなぎ方の他の例の説明図である。
【図１５】オーバラップ部の説明図である。
【図１６】本発明の画像処理プログラムが記録された記録媒体を示す図である。
【符号の説明】
【００４７】
２・・・プリンタ、３・・・記録用紙（メディア）、４・・・コンピュータ、２４・・
・制御回路、２８・・・ラインヘッド、３３・・・ノズル、２００・・・画像処理装置、
２１０・・・色変換部、２１１・・・つなぎ目判別部、２１２・・・インクしきい値記憶
部、２１３・・・多値化部。
【図１】
2006231735.tif 000003
【図２】
2006231735.tif 000004
【図３】
2006231735.tif 000005
【図４】
2006231735.tif 000006
【図５】
2006231735.tif 000007
【図６】
2006231735.tif 000008
【図７】
2006231735.tif 000009
【図８】
2006231735.tif 000010
【図９】
2006231735.tif 000011
【図１０】
2006231735.tif 000012
【図１１】
2006231735.tif 000013
【図１２】
2006231735.tif 000014
【図１３】
2006231735.tif 000015
【図１４】
2006231735.tif 000016
【図１５】
2006231735.tif 000017
【図１６】
2006231735.tif 000018